(57)【要約】  本願実施例はデュアル登録の端末装置の無線通信方法、ネットワーク装置、及び端末装置を提供し、端末装置は第１ネットワーク装置から送信されたダウンリンクメッセージを受信し、又は第１ネットワーク装置にアップリンクメッセージを送信する時に、第２ネットワーク装置から送信されたダウンリンクメッセージを受信するのを避け、それによって、端末装置はメッセージを合理的に送受信できる。該方法は、該端末装置が同時に第１ネットワーク及び第２ネットワークに登録し、第１ネットワーク装置が第２ネットワーク装置に指示情報を送信し、該指示情報は、該第１ネットワーク装置が該端末装置にダウンリンクメッセージを送信し、又は該端末装置からアップリンクメッセージを受信することを示すことに用いられ、該第１ネットワーク装置が該第１ネットワークでのネットワーク装置であり、該第２ネットワーク装置が該第２ネットワークでのネットワーク装置であることを含む。
2021512514.tif 000002
【特許請求の範囲】
【請求項１】
デュアル登録の端末装置の無線通信方法であって、前記端末装置は同時に第１ネットワーク及び第２ネットワークに登録し、
前記方法は、
第１ネットワーク装置が第２ネットワーク装置に指示情報を送信し、前記指示情報は、  前記第１ネットワーク装置が前記端末装置にダウンリンクメッセージを送信し、又は前記端末装置からアップリンクメッセージを受信することを示すことに用いられ、前記第１ネットワーク装置が前記第１ネットワークでのネットワーク装置であり、前記第２ネットワーク装置が前記第２ネットワークでのネットワーク装置であることを含むことを特徴とするデュアル登録の端末装置の無線通信方法。
【請求項２】
前記指示情報は、更に前記第２ネットワーク装置が第１期間内において前記端末装置をページングできることを示すことに用いられることを特徴とする請求項１に記載の方法。
【請求項３】
前記方法は更に、
前記第１ネットワーク装置が前記端末装置から送信された要求メッセージを受信し、前記要求メッセージは、前記第２ネットワークに対する第２期間を設定するように前記第１ネットワーク装置に要求することに用いられ、前記端末装置は、前記第２期間内において前記第２ネットワーク装置から送信されたダウンリンクメッセージを受信し、及び／又は前記第２ネットワーク装置にアップリンクメッセージを送信し、又は、前記第２ネットワーク装置は前記第２期間内において前記端末装置をページングするのを避けることを含むことを特徴とする請求項１又は２に記載の方法。
【請求項４】
前記方法は更に、
前記第１ネットワーク装置が前記端末装置に設定情報を送信し、前記設定情報は、第３期間内において前記第２ネットワーク装置から送信されたダウンリンクメッセージを受信し、又は前記第２ネットワーク装置にアップリンクメッセージを送信するように前記端末装置に指示することに用いられ、又は、前記設定情報は、第４期間終了後に前記第２ネットワーク装置から送信されたダウンリンクメッセージを受信し、又は前記第２ネットワーク装置にアップリンクメッセージを送信するように前記端末装置に指示することに用いられることを含むことを特徴とする請求項１〜３のいずれか１項に記載の方法。
【請求項５】
前記ダウンリンクメッセージはページングメッセージであり、前記アップリンクメッセージはアップリンクデータ、ページング応答、位置更新情報のうちの少なくとも１つであることを特徴とする請求項１〜４のいずれか１項に記載の方法。
【請求項６】
前記端末装置は、単一のネットワークにおいてアップリンク送信又はダウンリンク受信を行うことしかサポートしないことを特徴とする請求項１〜５のいずれか１項に記載の方法。
【請求項７】
前記第１ネットワークはロングタームエボリューション（ＬＴＥ）ネットワークであり、前記第２ネットワークは新エアインタフェース（ＮＲ）ネットワークであり、又は、前記第１ネットワークはＮＲネットワークであり、前記第２ネットワークはＬＴＥネットワークであり、又は、前記第１ネットワークはＮＲネットワークであり、前記第２ネットワークはＮＲネットワークであり、又は、前記第１ネットワークはＬＴＥネットワークであり、前記第２ネットワークはＬＴＥネットワークであることを特徴とする請求項１〜６のいずれか１項に記載の方法。
【請求項８】
デュアル登録の端末装置の無線通信方法であって、前記端末装置は同時に第１ネットワーク及び第２ネットワークに登録し、
前記方法は、
第２ネットワーク装置が第１ネットワーク装置から送信された指示情報を受信し、前記指示情報は、前記第１ネットワーク装置が前記端末装置にダウンリンクメッセージを送信し、又は前記端末装置からアップリンクメッセージを受信することを示すことに用いられ、前記第１ネットワーク装置が前記第１ネットワークでのネットワーク装置であり、前記第２ネットワーク装置が前記第２ネットワークでのネットワーク装置であることと、
前記第２ネットワーク装置が前記指示情報に基づいて第１期間を設定し、前記第２ネットワーク装置は前記第１期間内において前記端末装置に対するスケジューリングを停止することと、を含むことを特徴とするデュアル登録の端末装置の無線通信方法。
【請求項９】
前記指示情報は、更に第２期間内において前記端末装置をページングするように前記第２ネットワーク装置に指示することに用いられ、
前記第２ネットワーク装置が前記指示情報に基づいて第１期間を設定することは、
前記第２ネットワーク装置が前記指示情報に基づいて前記第１期間を設定し、前記第２期間は前記第１期間が終了した後のところに位置することを含むことを特徴とする請求項８に記載の方法。
【請求項１０】
前記方法は更に、
前記第２ネットワーク装置が前記端末装置に第１設定情報を送信し、前記第１設定情報は、第３期間内において前記第１ネットワーク装置から送信されたダウンリンクメッセージを受信し、又は前記第１ネットワーク装置にアップリンクメッセージを送信するように前記端末装置に指示することに用いられることを含むことを特徴とする請求項８又は９に記載の方法。
【請求項１１】
前記方法は更に、
前記第２ネットワーク装置が前記端末装置に第２設定情報を送信し、前記第２設定情報は、第４期間内において前記第２ネットワーク装置から送信されたダウンリンクメッセージを受信し、又は前記第２ネットワーク装置にアップリンクメッセージを送信するように前記端末装置に指示することに用いられ、又は、前記第２設定情報は、第５期間終了後に前記第２ネットワーク装置から送信されたダウンリンクメッセージを受信し、又は前記第２ネットワーク装置にアップリンクメッセージを送信するように前記端末装置に指示することに用いられることを含むことを特徴とする請求項８〜１０のいずれか１項に記載の方法。
【請求項１２】
前記ダウンリンクメッセージはページングメッセージであり、前記アップリンクメッセージはアップリンクデータ、ページング応答、位置更新情報のうちの少なくとも１つであることを特徴とする請求項８〜１１のいずれか１項に記載の方法。
【請求項１３】
前記端末装置は、単一のネットワークにおいてアップリンク送信又はダウンリンク受信を行うことしかサポートしないことを特徴とする請求項８〜１２のいずれか１項に記載の方法。
【請求項１４】
前記第１ネットワークはロングタームエボリューション（ＬＴＥ）ネットワークであり、前記第２ネットワークは新エアインタフェース（ＮＲ）ネットワークであり、又は、前記第１ネットワークはＮＲネットワークであり、前記第２ネットワークはＬＴＥネットワークであり、又は、前記第１ネットワークはＮＲネットワークであり、前記第２ネットワークはＮＲネットワークであり、又は、前記第１ネットワークはＬＴＥネットワークであり、前記第２ネットワークはＬＴＥネットワークであることを特徴とする請求項８〜１３のいずれか１項に記載の方法。
【請求項１５】
デュアル登録の端末装置の無線通信方法であって、前記端末装置は同時に第１ネットワーク及び第２ネットワークに登録し、
前記方法は、
前記端末装置が第１装置から送信された第１設定情報を受信し、前記第１設定情報は、第１期間内において第１ネットワーク装置から送信されたダウンリンクメッセージを受信し、又は前記第１ネットワーク装置にアップリンクメッセージを送信するように指示することに用いられ、前記第１ネットワーク装置が前記第１ネットワークでのネットワーク装置であることと、
前記端末装置が前記第１設定情報に基づいて、前記第１ネットワーク装置から送信されたダウンリンクメッセージを受信し、又は前記第１ネットワーク装置にアップリンクメッセージを送信することと、を含むことを特徴とするデュアル登録の端末装置の無線通信方法。
【請求項１６】
前記方法は更に、
前記端末装置が前記第１装置から送信された第２設定情報を受信し、前記第２設定情報は、第２期間内において前記第２ネットワーク装置から送信されたダウンリンクメッセージを受信し、又は前記第２ネットワーク装置にアップリンクメッセージを送信するように指示することに用いられ、又は、前記第２設定情報は、第３期間終了後に前記第２ネットワーク装置から送信されたダウンリンクメッセージを受信し、又は前記第２ネットワーク装置にアップリンクメッセージを送信するように指示することに用いられることを含み、
前記端末装置が前記第１設定情報に基づいて、前記第１ネットワーク装置から送信されたダウンリンクメッセージを受信し、又は前記第１ネットワーク装置にアップリンクメッセージを送信することは、
前記端末装置が前記第１設定情報及び／又は前記第２設定情報に基づいて、前記第１ネットワーク装置から送信されたダウンリンクメッセージを受信し、又は前記第１ネットワーク装置にアップリンクメッセージを送信し、又は、前記第２ネットワーク装置から送信されたダウンリンクメッセージを受信し、又は前記第２ネットワーク装置にアップリンクメッセージを送信することを含むことを特徴とする請求項１５に記載の方法。
【請求項１７】
前記端末装置が前記第１装置から送信された前記第１設定情報を受信する前に、前記方法は更に、
前記端末装置が前記第１装置に要求メッセージを送信し、前記要求メッセージは、前記第２ネットワークに対する第４期間を設定するように前記第１装置に要求することに用いられ、前記端末装置は、前記第４期間内において前記第２ネットワーク装置から送信されたダウンリンクメッセージを受信し、及び／又は前記第２ネットワーク装置にアップリンクメッセージを送信し、又は、前記第２ネットワーク装置は前記第４期間内において前記端末装置をページングするのを避けることを含むことを特徴とする請求項１５又は１６に記載の方法。
【請求項１８】
前記端末装置が前記第１装置から送信された前記第１設定情報を受信する前に、前記方法は更に、
前記端末装置が、前記第１ネットワーク装置から送信されたダウンリンクメッセージを受信し、又は前記第１ネットワーク装置にアップリンクメッセージを送信することを含むことを特徴とする請求項１５〜１７のいずれか１項に記載の方法。
【請求項１９】
前記ダウンリンクメッセージはページングメッセージであり、前記アップリンクメッセージはアップリンクデータ、ページング応答、位置更新情報のうちの少なくとも１つであることを特徴とする請求項１５〜１８のいずれか１項に記載の方法。
【請求項２０】
前記第１装置は前記第１ネットワーク装置又は前記第２ネットワーク装置であることを特徴とする請求項１５〜１９のいずれか１項に記載の方法。
【請求項２１】
前記端末装置は、単一のネットワークにおいてアップリンク送信又はダウンリンク受信を行うことしかサポートしないことを特徴とする請求項１５〜２０のいずれか１項に記載の方法。
【請求項２２】
前記第１ネットワークはロングタームエボリューション（ＬＴＥ）ネットワークであり、前記第２ネットワークは新エアインタフェース（ＮＲ）ネットワークであり、又は、前記第１ネットワークはＮＲネットワークであり、前記第２ネットワークはＬＴＥネットワークであり、又は、前記第１ネットワークはＮＲネットワークであり、前記第２ネットワークはＮＲネットワークであり、又は、前記第１ネットワークはＬＴＥネットワークであり、前記第２ネットワークはＬＴＥネットワークであることを特徴とする請求項１５〜２１のいずれか１項に記載の方法。
【請求項２３】
ネットワーク装置であって、前記ネットワーク装置は端末装置と通信し、前記端末装置は同時に第１ネットワーク及び第２ネットワークに登録し、
前記ネットワーク装置は、
第２ネットワーク装置に指示情報を送信することに用いられ、前記指示情報は、前記第１ネットワーク装置が前記端末装置にダウンリンクメッセージを送信し、又は前記端末装置からアップリンクメッセージを受信することを示すことに用いられ、前記第１ネットワーク装置が前記第１ネットワークでのネットワーク装置であり、前記第２ネットワーク装置が前記第２ネットワークでのネットワーク装置である送信ユニットを備えることを特徴とするネットワーク装置。
【請求項２４】
前記指示情報は、更に前記第２ネットワーク装置が第１期間内において前記端末装置をページングできることを示すことに用いられることを特徴とする請求項２３に記載のネットワーク装置。
【請求項２５】
前記送信ユニットは更に前記端末装置から送信された要求メッセージを受信することに用いられ、前記要求メッセージは前記第２ネットワークに対する第２期間を設定するように前記第１ネットワーク装置に要求することに用いられ、前記端末装置は、前記第２期間内において前記第２ネットワーク装置から送信されたダウンリンクメッセージを受信し、及び／又は前記第２ネットワーク装置にアップリンクメッセージを送信し、又は、前記第２ネットワーク装置は前記第２期間内において前記端末装置をページングするのを避けることを特徴とする請求項２３又は２４に記載のネットワーク装置。
【請求項２６】
前記送信ユニットは更に前記端末装置に設定情報を送信することに用いられ、前記設定情報は、第３期間内において前記第２ネットワーク装置から送信されたダウンリンクメッセージを受信し、又は前記第２ネットワーク装置にアップリンクメッセージを送信するように前記端末装置に指示することに用いられ、又は、前記設定情報は、第４期間終了後に前記第２ネットワーク装置から送信されたダウンリンクメッセージを受信し、又は前記第２ネットワーク装置にアップリンクメッセージを送信するように前記端末装置に指示することに用いられることを特徴とする請求項２３〜２５のいずれか１項に記載のネットワーク装置。
【請求項２７】
前記ダウンリンクメッセージはページングメッセージであり、前記アップリンクメッセージはアップリンクデータ、ページング応答、位置更新情報のうちの少なくとも１つであることを特徴とする請求項２３〜２６のいずれか１項に記載のネットワーク装置。
【請求項２８】
前記端末装置は、単一のネットワークにおいてアップリンク送信又はダウンリンク受信を行うことしかサポートしないことを特徴とする請求項２３〜２７のいずれか１項に記載のネットワーク装置。
【請求項２９】
前記第１ネットワークはロングタームエボリューション（ＬＴＥ）ネットワークであり、前記第２ネットワークは新エアインタフェース（ＮＲ）ネットワークであり、又は、前記第１ネットワークはＮＲネットワークであり、前記第２ネットワークはＬＴＥネットワークであり、又は、前記第１ネットワークはＮＲネットワークであり、前記第２ネットワークはＮＲネットワークであり、又は、前記第１ネットワークはＬＴＥネットワークであり、前記第２ネットワークはＬＴＥネットワークであることを特徴とする請求項２３〜２８のいずれか１項に記載のネットワーク装置。
【請求項３０】
ネットワーク装置であって、前記ネットワーク装置は端末装置と通信し、前記端末装置は同時に第１ネットワーク及び第２ネットワークに登録し、
前記ネットワーク装置は、
第１ネットワーク装置から送信された指示情報を受信することに用いられ、前記指示情報は、前記第１ネットワーク装置が前記端末装置にダウンリンクメッセージを送信し、又は前記端末装置からアップリンクメッセージを受信することを示すことに用いられ、前記第１ネットワーク装置が前記第１ネットワークでのネットワーク装置であり、前記第２ネットワーク装置が前記第２ネットワークでのネットワーク装置である受信ユニットと、
前記指示情報に基づいて第１期間を設定することに用いられ、前記第２ネットワーク装置は前記第１期間内において前記端末装置に対するスケジューリングを停止する処理ユニットと、を備えることを特徴とするネットワーク装置。
【請求項３１】
前記指示情報は、更に第２期間内において前記端末装置をページングするように前記第２ネットワーク装置に指示することに用いられ、
前記処理ユニットは具体的に、
前記指示情報に基づいて前記第１期間を設定することに用いられ、前記第２期間は前記第１期間が終了した後のところに位置することを特徴とする請求項３０に記載のネットワーク装置。
【請求項３２】
前記ネットワーク装置は更に、
前記端末装置に第１設定情報を送信することに用いられ、前記第１設定情報は、第３期間内において前記第１ネットワーク装置から送信されたダウンリンクメッセージを受信し、又は前記第１ネットワーク装置にアップリンクメッセージを送信するように前記端末装置に指示することに用いられる送信ユニットを備えることを特徴とする請求項３０又は３１に記載のネットワーク装置。
【請求項３３】
前記送信ユニットは更に前記端末装置に第２設定情報を送信することに用いられ、前記第２設定情報は、第４期間内において前記第２ネットワーク装置から送信されたダウンリンクメッセージを受信し、又は前記第２ネットワーク装置にアップリンクメッセージを送信するように前記端末装置に指示することに用いられ、又は、前記第２設定情報は、第５期間終了後に前記第２ネットワーク装置から送信されたダウンリンクメッセージを受信し、又は前記第２ネットワーク装置にアップリンクメッセージを送信するように前記端末装置に指示することに用いられることを特徴とする請求項３０〜３２のいずれか１項に記載のネットワーク装置。
【請求項３４】
前記ダウンリンクメッセージはページングメッセージであり、前記アップリンクメッセージはアップリンクデータ、ページング応答、位置更新情報のうちの少なくとも１つであることを特徴とする請求項３０〜３３のいずれか１項に記載のネットワーク装置。
【請求項３５】
前記端末装置は、単一のネットワークにおいてアップリンク送信又はダウンリンク受信を行うことしかサポートしないことを特徴とする請求項３０〜３４のいずれか１項に記載のネットワーク装置。
【請求項３６】
前記第１ネットワークはロングタームエボリューション（ＬＴＥ）ネットワークであり、前記第２ネットワークは新エアインタフェース（ＮＲ）ネットワークであり、又は、前記第１ネットワークはＮＲネットワークであり、前記第２ネットワークはＬＴＥネットワークであり、又は、前記第１ネットワークはＮＲネットワークであり、前記第２ネットワークはＮＲネットワークであり、又は、前記第１ネットワークはＬＴＥネットワークであり、前記第２ネットワークはＬＴＥネットワークであることを特徴とする請求項３０〜３５のいずれか１項に記載のネットワーク装置。
【請求項３７】
端末装置であって、前記端末装置は同時に第１ネットワーク及び第２ネットワークに登録し、
前記端末装置は、
第１装置から送信された第１設定情報を受信することに用いられ、前記第１設定情報は、第１期間内において第１ネットワーク装置から送信されたダウンリンクメッセージを受信し、又は前記第１ネットワーク装置にアップリンクメッセージを送信するように指示することに用いられ、前記第１ネットワーク装置が前記第１ネットワークでのネットワーク装置である受信ユニットを備え、
前記受信ユニットは、更に前記第１設定情報に基づいて、前記第１ネットワーク装置から送信されたダウンリンクメッセージを受信し、又は前記第１ネットワーク装置にアップリンクメッセージを送信することに用いられることを特徴とする端末装置。
【請求項３８】
前記受信ユニットは、更に前記第１装置から送信された第２設定情報を受信することに用いられ、前記第２設定情報は、第２期間内において前記第２ネットワーク装置から送信されたダウンリンクメッセージを受信し、又は前記第２ネットワーク装置にアップリンクメッセージを送信するように指示することに用いられ、又は、前記第２設定情報は、第３期間終了後に前記第２ネットワーク装置から送信されたダウンリンクメッセージを受信し、又は前記第２ネットワーク装置にアップリンクメッセージを送信するように指示することに用いられ、
前記受信ユニットは具体的に、
前記第１設定情報及び／又は前記第２設定情報に基づいて、前記第１ネットワーク装置から送信されたダウンリンクメッセージを受信し、又は前記第１ネットワーク装置にアップリンクメッセージを送信し、又は、前記第２ネットワーク装置から送信されたダウンリンクメッセージを受信し、又は前記第２ネットワーク装置にアップリンクメッセージを送信することに用いられることを特徴とする請求項３７に記載の端末装置。
【請求項３９】
前記受信ユニットが前記第１装置から送信された前記第１設定情報を受信する前に、前記端末装置は更に、
前記第１装置に要求メッセージを送信することに用いられ、前記要求メッセージは、前記第２ネットワークに対する第４期間を設定するように前記第１装置に要求することに用いられ、前記端末装置は、前記第４期間内において前記第２ネットワーク装置から送信されたダウンリンクメッセージを受信し、及び／又は前記第２ネットワーク装置にアップリンクメッセージを送信し、又は、前記第２ネットワーク装置は前記第４期間内において前記端末装置をページングするのを避ける送信ユニットを備えることを特徴とする請求項３７又は３８に記載の端末装置。
【請求項４０】
前記受信ユニットが前記第１装置から送信された前記第１設定情報を受信する前に、前記受信ユニットは、更に前記第１ネットワーク装置から送信されたダウンリンクメッセージを受信し、又は前記第１ネットワーク装置にアップリンクメッセージを送信することに用いられることを特徴とする請求項３７〜３９のいずれか１項に記載の端末装置。
【請求項４１】
前記ダウンリンクメッセージはページングメッセージであり、前記アップリンクメッセージはアップリンクデータ、ページング応答、位置更新情報のうちの少なくとも１つであることを特徴とする請求項３７〜４０のいずれか１項に記載の端末装置。
【請求項４２】
前記第１装置は、前記第１ネットワーク装置又は前記第２ネットワーク装置であることを特徴とする請求項３７〜４１のいずれか１項に記載の端末装置。
【請求項４３】
前記端末装置は、単一のネットワークにおいてアップリンク送信又はダウンリンク受信を行うことしかサポートしないことを特徴とする請求項３７〜４２のいずれか１項に記載の端末装置。
【請求項４４】
前記第１ネットワークはロングタームエボリューション（ＬＴＥ）ネットワークであり、前記第２ネットワークは新エアインタフェース（ＮＲ）ネットワークであり、又は、前記第１ネットワークはＮＲネットワークであり、前記第２ネットワークはＬＴＥネットワークであり、又は、前記第１ネットワークはＮＲネットワークであり、前記第２ネットワークはＮＲネットワークであり、又は、前記第１ネットワークはＬＴＥネットワークであり、前記第２ネットワークはＬＴＥネットワークであることを特徴とする請求項３７〜４３のいずれか１項に記載の端末装置。
【発明の詳細な説明】
【技術分野】
【０００１】
本願は通信分野に関し、より具体的に、デュアル登録の端末装置の無線通信方法、ネットワーク装置、及び端末装置に関する。
【背景技術】
【０００２】
第５世代移動通信技術（５Ｇ、５−Ｇｅｎｅｒａｔｉｏｎ）の新エアインタフェース（ＮＲ、Ｎｅｗ  Ｒａｄｉｏ）通信において、端末装置は２つのネットワーク（ロングタームエボリューション（ＬＴＥ、Ｌｏｎｇ  Ｔｅｒｍ  Ｅｖｏｌｕｔｉｏｎ）及びＮＲ）において同時に受信し（Ｒｘ、Ｒｅｃｅｉｖｅ）又は送信する（Ｔｘ、Ｔｒａｎｓｍｉｓｓｉｏｎ）のをサポートでき、端末装置は２つのネットワークのいずれにも登録する。単一受信／単一送信（１Ｒｘ／１Ｔｘ）しかサポートしない端末の場合、１つの登録したネットワークでアップリンク送信又はダウンリンク受信を行う時には、もう１つの登録したネットワークでデータ受信を行うことができないという問題について、如何にして１つの登録したネットワークでアップリンク送信又はダウンリンク受信の時に、もう１つの登録したネットワークでダウンリンク受信を行うかは早急に解決すべき課題である。
【発明の概要】
【発明が解決しようとする課題】
【０００３】
本願実施例はデュアル登録の端末装置の無線通信方法、ネットワーク装置、及び端末装置を提供し、端末装置は、第１ネットワーク装置から送信されたダウンリンクメッセージを受信し、又は第１ネットワーク装置にアップリンクメッセージを送信する時に、第２ネットワーク装置から送信されたダウンリンクメッセージを受信するのを避け、それによって、端末装置はメッセージを合理的に送受信できる。
【課題を解決するための手段】
【０００４】
第１態様では、本願実施例はデュアル登録の端末装置の無線通信方法を提供し、該端末装置は同時に第１ネットワーク及び第２ネットワークに登録し、
該方法は、
第１ネットワーク装置が第２ネットワーク装置に指示情報を送信し、該指示情報は、該第１ネットワーク装置が該端末装置にダウンリンクメッセージを送信し、又は該端末装置からアップリンクメッセージを受信することを示すことに用いられ、該第１ネットワーク装置が該第１ネットワークでのネットワーク装置であり、該第２ネットワーク装置が該第２ネットワークでのネットワーク装置であることを含む。
【０００５】
従って、本願実施例のデュアル登録の端末装置の無線通信方法において、第１ネットワーク装置が第２ネットワーク装置に指示情報を送信し、それによって、第１ネットワーク装置が端末装置にダウンリンクメッセージを送信し又は端末装置からアップリンクメッセージを受信する時に、第２ネットワーク装置は端末装置に対するスケジューリングを停止し、そうすると、端末装置はメッセージを合理的に送受信できる。
【０００６】
選択肢として、第１態様の１つの実現方式では、該指示情報は、更に該第２ネットワーク装置が第１期間内において該端末装置をページングできることを示すことに用いられる。
【０００７】
選択肢として、第１態様の１つの実現方式では、該方法は更に、
該第１ネットワーク装置が該端末装置から送信された要求メッセージを受信し、該要求メッセージは、該第２ネットワークに対する第２期間を設定するように該第１ネットワーク装置に要求することに用いられ、該端末装置は、該第２期間内において該第２ネットワーク装置から送信されたダウンリンクメッセージを受信し、及び／又は該第２ネットワーク装置にアップリンクメッセージを送信し、又は、該第２ネットワーク装置は該第２期間内において該端末装置をページングするのを避けることを含む。
【０００８】
選択肢として、第１態様の１つの実現方式では、該方法は更に、
該第１ネットワーク装置が該端末装置に設定情報を送信し、該設定情報は、第３期間内において該第２ネットワーク装置から送信されたダウンリンクメッセージを受信し、又は該第２ネットワーク装置にアップリンクメッセージを送信するように該端末装置に指示することに用いられ、又は、該設定情報は、第４期間終了後に該第２ネットワーク装置から送信されたダウンリンクメッセージを受信し、又は該第２ネットワーク装置にアップリンクメッセージを送信するように該端末装置に指示することに用いられることを含む。
【０００９】
選択肢として、第１態様の１つの実現方式では、該ダウンリンクメッセージはページングメッセージであり、該アップリンクメッセージはアップリンクデータ、ページング応答、位置更新情報のうちの少なくとも１つである。
【００１０】
選択肢として、第１態様の１つの実現方式では、該端末装置は、単一のネットワークにおいてアップリンク送信又はダウンリンク受信を行うことしかサポートしない。
【００１１】
選択肢として、第１態様の１つの実現方式では、該第１ネットワークはロングタームエボリューション（ＬＴＥ）ネットワークであり、該第２ネットワークは新エアインタフェース（ＮＲ）ネットワークであり、又は、該第１ネットワークはＮＲネットワークであり、該第２ネットワークはＬＴＥネットワークであり、又は、該第１ネットワークはＮＲネットワークであり、該第２ネットワークはＮＲネットワークであり、又は、該第１ネットワークはＬＴＥネットワークであり、該第２ネットワークはＬＴＥネットワークである。
【００１２】
第２態様では、本願実施例はデュアル登録の端末装置の無線通信方法を提供し、該端末装置は同時に第１ネットワーク及び第２ネットワークに登録し、
該方法は、
第２ネットワーク装置が第１ネットワーク装置から送信された指示情報を受信し、該指示情報は、該第１ネットワーク装置が該端末装置にダウンリンクメッセージを送信し、又は該端末装置からアップリンクメッセージを受信することを示すことに用いられ、該第１ネットワーク装置が該第１ネットワークでのネットワーク装置であり、該第２ネットワーク装置が該第２ネットワークでのネットワーク装置であることと、
該第２ネットワーク装置が該指示情報に基づいて第１期間を設定し、該第２ネットワーク装置は該第１期間内において該端末装置に対するスケジューリングを停止することと、を含む。
【００１３】
従って、本願実施例のデュアル登録の端末装置の無線通信方法において、第２ネットワーク装置が第１ネットワーク装置から送信された指示情報を受信し、それによって、第１ネットワーク装置が端末装置にダウンリンクメッセージを送信し、又は端末装置からアップリンクメッセージを受信する時に、第２ネットワーク装置は端末装置に対するスケジューリングを停止し、そうすると、端末装置はメッセージを合理的に送受信できる。
【００１４】
選択肢として、第２態様の１つの実現方式では、該指示情報は、更に第２期間内において該端末装置をページングするように該第２ネットワーク装置に指示することに用いられ、
該第２ネットワーク装置が該指示情報に基づいて第１期間を設定することは、
該第２ネットワーク装置が該指示情報に基づいて第１期間を設定し、該第２期間は該第１期間が終了した後のところに位置することを含む。
【００１５】
選択肢として、第２態様の１つの実現方式では、該方法は更に、
該第２ネットワーク装置が該端末装置に第１設定情報を送信し、該第１設定情報は、第３期間内において該第１ネットワーク装置から送信されたダウンリンクメッセージを受信し、又は該第１ネットワーク装置にアップリンクメッセージを送信するように該端末装置に指示することに用いられることを含む。
【００１６】
選択肢として、第２態様の１つの実現方式では、該方法は更に、
該第２ネットワーク装置が該端末装置に第２設定情報を送信し、該第２設定情報は、第４期間内において該第２ネットワーク装置から送信されたダウンリンクメッセージを受信し、又は該第２ネットワーク装置にアップリンクメッセージを送信するように該端末装置に指示することに用いられ、又は、該第２設定情報は、第５期間終了後に該第２ネットワーク装置から送信されたダウンリンクメッセージを受信し、又は該第２ネットワーク装置にアップリンクメッセージを送信するように該端末装置に指示することに用いられることを含む。
【００１７】
選択肢として、第２態様の１つの実現方式では、該ダウンリンクメッセージはページングメッセージであり、該アップリンクメッセージはアップリンクデータ、ページング応答、位置更新情報のうちの少なくとも１つである。
【００１８】
選択肢として、第２態様の１つの実現方式では、該端末装置は、単一のネットワークにおいてアップリンク送信又はダウンリンク受信を行うことしかサポートしない。
【００１９】
選択肢として、第２態様の１つの実現方式では、該第１ネットワークはロングタームエボリューション（ＬＴＥ）ネットワークであり、該第２ネットワークは新エアインタフェース（ＮＲ）ネットワークであり、又は、該第１ネットワークはＮＲネットワークであり、該第２ネットワークはＬＴＥネットワークであり、又は、該第１ネットワークはＮＲネットワークであり、該第２ネットワークはＮＲネットワークであり、又は、該第１ネットワークはＬＴＥネットワークであり、該第２ネットワークはＬＴＥネットワークである。
【００２０】
第３態様では、本願実施例はデュアル登録の端末装置の無線通信方法を提供し、該端末装置は同時に第１ネットワーク及び第２ネットワークに登録し、
該方法は、
該端末装置が第１装置から送信された第１設定情報を受信し、該第１設定情報は、第１期間内において第１ネットワーク装置から送信されたダウンリンクメッセージを受信し、又は該第１ネットワーク装置にアップリンクメッセージを送信するように指示することに用いられ、該第１ネットワーク装置が該第１ネットワークでのネットワーク装置であることと、
該端末装置が該第１設定情報に基づいて、該第１ネットワーク装置から送信されたダウンリンクメッセージを受信し、又は該第１ネットワーク装置にアップリンクメッセージを送信することと、を含む。
【００２１】
従って、本願実施例のデュアル登録の端末装置の無線通信方法において、端末装置が第１装置から送信された設定情報を受信し、それによって、端末装置は設定情報に基づいてメッセージを合理的に送受信できる。
【００２２】
選択肢として、第３態様の１つの実現方式では、該方法は更に、
該端末装置が該第１装置から送信された第２設定情報を受信し、該第２設定情報は、第２期間内において該第２ネットワーク装置から送信されたダウンリンクメッセージを受信し、又は該第２ネットワーク装置にアップリンクメッセージを送信するように指示することに用いられ、又は、該第２設定情報は、第３期間終了後に該第２ネットワーク装置から送信されたダウンリンクメッセージを受信し、又は該第２ネットワーク装置にアップリンクメッセージを送信するように指示することに用いられることを含み、
該端末装置が該第１設定情報に基づいて、該第１ネットワーク装置から送信されたダウンリンクメッセージを受信し、又は該第１ネットワーク装置にアップリンクメッセージを送信することは、
該端末装置が該第１設定情報及び／又は該第２設定情報に基づいて、該第１ネットワーク装置から送信されたダウンリンクメッセージを受信し、又は該第１ネットワーク装置にアップリンクメッセージを送信し、又は、該第２ネットワーク装置から送信されたダウンリンクメッセージを受信し、又は該第２ネットワーク装置にアップリンクメッセージを送信することを含む。
【００２３】
選択肢として、第３態様の１つの実現方式では、該端末装置が該第１装置から送信された該第１設定情報を受信する前に、該方法は更に、
該端末装置が該第１装置に要求メッセージを送信し、該要求メッセージは、該第２ネットワークに対する第４期間を設定するように該第１装置に要求することに用いられ、該端末装置は、該第４期間内において該第２ネットワーク装置から送信されたダウンリンクメッセージを受信し、及び／又は該第２ネットワーク装置にアップリンクメッセージを送信し、又は、該第２ネットワーク装置は該第４期間内において該端末装置をページングするのを避けることを含む。
【００２４】
選択肢として、第３態様の１つの実現方式では、該端末装置が該第１装置から送信された該第１設定情報を受信する前に、該方法は更に、
該端末装置が該第１ネットワーク装置から送信されたダウンリンクメッセージを受信し又は該第１ネットワーク装置にアップリンクメッセージを送信することを含む。
【００２５】
選択肢として、第３態様の１つの実現方式では、該ダウンリンクメッセージはページングメッセージであり、該アップリンクメッセージはアップリンクデータ、ページング応答、位置更新情報のうちの少なくとも１つである。
【００２６】
選択肢として、第３態様の１つの実現方式では、該第１装置は、該第１ネットワーク装置又は該第２ネットワーク装置である。
【００２７】
選択肢として、第３態様の１つの実現方式では、該端末装置は、単一のネットワークにおいてアップリンク送信又はダウンリンク受信を行うことしかサポートしない。
【００２８】
選択肢として、第３態様の１つの実現方式では、該第１ネットワークはロングタームエボリューション（ＬＴＥ）ネットワークであり、該第２ネットワークは新エアインタフェース（ＮＲ）ネットワークであり、又は、該第１ネットワークはＮＲネットワークであり、該第２ネットワークはＬＴＥネットワークであり、又は、該第１ネットワークはＮＲネットワークであり、該第２ネットワークはＮＲネットワークであり、又は、該第１ネットワークはＬＴＥネットワークであり、該第２ネットワークはＬＴＥネットワークである。
【００２９】
第４態様では、本願実施例はネットワーク装置を提供し、該ネットワーク装置は第１態様又は第１態様のいずれか１つの選択可能な実現方式における方法のモジュール又はユニットを実行できる。
【００３０】
第５態様では、本願実施例はネットワーク装置を提供し、該ネットワーク装置は第２態様又は第２態様のいずれか１つの選択可能な実現方式における方法のモジュール又はユニットを実行できる。
【００３１】
第６態様では、本願実施例は端末装置を提供し、該端末装置は第３態様又は第３態様のいずれか１つの選択可能な実現方式における方法のモジュール又はユニットを実行できる。
【００３２】
第７態様では、ネットワーク装置を提供し、該ネットワーク装置はプロセッサ、メモリ、及び通信インタフェースを備える。プロセッサはメモリ及び通信インタフェースに接続される。メモリは命令を記憶することに用いられ、プロセッサは該命令を実行することに用いられ、通信インタフェースはプロセッサの制御によって他のネットワーク要素と通信を行うことに用いられる。該プロセッサが該メモリに記憶される命令を実行する時、該実行によって、該プロセッサは第１態様又は第１態様のいずれかの可能な実現方式における方法を実行する。
【００３３】
第８態様では、ネットワーク装置を提供し、該ネットワーク装置はプロセッサ、メモリ、及び通信インタフェースを備える。プロセッサはメモリ及び通信インタフェースに接続される。メモリは命令を記憶することに用いられ、プロセッサは該命令を実行することに用いられ、通信インタフェースはプロセッサの制御によって他のネットワーク要素と通信を行うことに用いられる。該プロセッサが該メモリに記憶される命令を実行する時、該実行によって、該プロセッサは第２態様又は第２態様のいずれかの可能な実現方式における方法を実行する。
【００３４】
第９態様では、端末装置を提供し、該端末装置はプロセッサ、メモリ、及び通信インタフェースを備える。プロセッサはメモリ及び通信インタフェースに接続される。メモリは命令を記憶することに用いられ、プロセッサは該命令を実行することに用いられ、通信インタフェースはプロセッサの制御によって他のネットワーク要素と通信を行うことに用いられる。該プロセッサが該メモリに記憶される命令を実行する時、該実行によって、該プロセッサは第３態様又は第３態様のいずれかの可能な実現方式における方法を実行する。
【００３５】
第１０態様では、コンピュータ記憶媒体を提供し、該コンピュータ記憶媒体にプログラムコードが記憶され、該プログラムコードは上記各態様に記載の方法の命令を実行するようにコンピュータに指示することに用いられる。
【００３６】
第１１態様では、命令を含むコンピュータプログラム製品を提供し、それがコンピュータにおいて実行される時、コンピュータは上記各態様に記載の方法を実行する。
【図面の簡単な説明】
【００３７】
【図１】図１は本願実施例の応用シーンの模式図である。
【図２】図２は本願実施例によるデュアル登録の端末装置の無線通信方法の模式的なフローチャートである。
【図３】図３は本願実施例による他のデュアル登録の端末装置の無線通信方法の模式的なフローチャートである。
【図４】図４は本願実施例による更なるデュアル登録の端末装置の無線通信方法の模式的なフローチャートである。
【図５】図５は本願実施例によるネットワーク装置の模式的なブロック図である。
【図６】図６は本願実施例による他のネットワーク装置の模式的なブロック図である。
【図７】図７は本願実施例による端末装置の模式的なブロック図である。
【図８】図８は本願実施例による無線通信の装置の模式的なブロック図を示す。
【図９】図９は本願実施例によるシステムチップの構造模式図である。
【発明を実施するための形態】
【００３８】
以下では本願実施例の図面を参照しながら、本願実施例における技術案を明確で完全に説明する。
【００３９】
本願実施例の技術案は、各種の通信システム、例えば、ロングタームエボリューション（ＬＴＥ、Ｌｏｎｇ  Ｔｅｒｍ  Ｅｖｏｌｕｔｉｏｎ）システム、ＬＴＥ周波数分割二重接続（ＦＤＤ、Ｆｒｅｑｕｅｎｃｙ  Ｄｉｖｉｓｉｏｎ  Ｄｕｐｌｅｘ）システム、ＬＴＥ時分割二重（ＴＤＤ、Ｔｉｍｅ  Ｄｉｖｉｓｉｏｎ  Ｄｕｐｌｅｘ）、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、又は５Ｇ  ＮＲ通信システム等に適用できる。
【００４０】
本願実施例における端末装置とは、ユーザ装置（ＵＥ、Ｕｓｅｒ  Ｅｑｕｉｐｍｅｎｔ）、アクセス端末、加入者ユニット、加入者局、移動局、トラバーサー、遠隔局、遠隔端末、モバイルデバイス、ユーザ端末、端末、無線通信装置、ユーザエージェント又はユーザデバイスを指してもよい。アクセス端末はセルラー方式の電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続された他の処理装置、車載装置、ウェアラブルデバイス、５Ｇネットワークにおける端末装置又は将来の進化する公衆陸上移動網（ＰＬＭＮ、Ｐｕｂｌｉｃ  Ｌａｎｄ  Ｍｏｂｉｌｅ  Ｎｅｔｗｏｒｋ）における端末装置等であってもよく、本願実施例はそれを限定しない。
【００４１】
本願ではネットワーク装置を組み合わせて各実施例を説明する。本願実施例におけるネットワーク装置は、端末装置と通信するための装置であってもよく、該アクセスネットワーク装置はＬＴＥシステムにおける進化型基地局（ｅＮＢ又はｅＮｏｄｅＢ、Ｅｖｏｌｕｔｉｏｎａｌ  ＮｏｄｅＢ）であってもよく、クラウド無線アクセスネットワーク（ＣＲＡＮ、Ｃｌｏｕｄ  Ｒａｄｉｏ  Ａｃｃｅｓｓ  Ｎｅｔｗｏｒｋ）シーンでの無線コントローラーであってもよく、又は、該アクセスネットワーク装置は中継局、アクセスポイント、車載装置、ウェアラブルデバイス、次世代進化型基地局（ＮＧ−ｅＮＢ、Ｎｅｘｔ  Ｇｅｎｅｒａｔｉｏｎ  Ｅｖｏｌｕｔｉｏｎａｌ  ＮｏｄｅＢ）、及び５Ｇネットワークにおけるアクセスネットワーク装置（例えば、ｇＮＢ）又は将来の進化する公衆陸上移動網（ＰＬＭＮ、Ｐｕｂｌｉｃ  Ｌａｎｄ  Ｍｏｂｉｌｅ  Ｎｅｔｗｏｒｋ）ネットワークにおけるアクセスネットワーク装置等であってもよく、本願実施例はそれを限定しない。
【００４２】
図１は本願実施例の応用シーンの模式図である。図１に示す無線通信システム１００における端末装置１１０はリンク１を介してネットワークＡに登録し、リンク２を介してネットワークＢに登録し、端末装置１１０はリンク１を介してコアネットワーク装置１２０及びアクセスネットワーク装置１３０と通信して接続し、端末装置１１０はリンク２を介してコアネットワーク装置１４０及びアクセスネットワーク装置１５０と接続する。コアネットワーク装置１２０はアクセスネットワーク装置１３０と通信して接続し、コアネットワーク装置１４０はアクセスネットワーク装置１５０と通信して接続する。コアネットワーク装置１２０とコアネットワーク装置１４０は同時に端末装置１１０にサービスを提供し、本願実施例はそれを限定しない。
【００４３】
選択肢として、該無線通信システム１００は更に他のネットワークエンティティを備えてもよく、本願実施例はそれを限定しない。
【００４４】
選択肢として、ネットワークＡはＬＴＥネットワークであり、ネットワークＢはＮＲネットワークであり、又は、ネットワークＡはＮＲネットワークであり、ネットワークＢはＬＴＥネットワークであり、又は、ネットワークＡはＮＲネットワークであり、ネットワークＢはＮＲネットワークであり、又は、ネットワークＡはＬＴＥネットワークであり、ネットワークＢはＬＴＥネットワークである。
【００４５】
選択肢として、ＬＴＥネットワークでのコアネットワーク装置はモビリティ管理エンティティ（ＭＭＥ、Ｍｏｂｉｌｉｔｙ  Ｍａｎａｇｅｍｅｎｔ  Ｅｎｔｉｔｙ）であり、アクセスネットワーク装置はｅＮＢであり、ＮＲネットワークでのコアネットワーク装置はアクセス及びモビリティ管理機能（ＡＭＦ、Ａｃｃｅｓｓ  ａｎｄ  Ｍｏｂｉｌｉｔｙ  Ｍａｎａｇｅｍｅｎｔ  Ｆｕｎｃｔｉｏｎ）であり、アクセスネットワーク装置はｇＮＢである。
【００４６】
また、本願の各態様又は特徴は、方法、装置又は標準プログラミング及び／又は工程技術を使用した製品として実現できる。本願に使用される「製品」という用語は、任意のコンピュータ可読デバイス、キャリア又は媒体からアクセスできるコンピュータプログラムを含む。例えば、コンピュータ可読媒体は磁気記憶装置（例えば、ハードディスク、フロッピーディスク又は磁気テープ等）、光ディスク（例えば、コンパクトディスク（ＣＤ、Ｃｏｍｐａｃｔ  Ｄｉｓｃ）、デジタル汎用ディスク（ＤＶＤ、Ｄｉｇｉｔａｌ  Ｖｅｒｓａｔｉｌｅ  Ｄｉｓｃ）等）、スマートカード、フラッシュメモリ装置（例えば、書き換え可能プログラマブル読み取り専用メモリ（ＥＰＲＯＭ、Ｅｒａｓａｂｌｅ  Ｐｒｏｇｒａｍｍａｂｌｅ  Ｒｅａｄ−Ｏｎｌｙ  Ｍｅｍｏｒｙ）、カード、スティック又はキードライブ等）を含んでもよいが、それらに限らない。また、本明細書に記載の各種記憶媒体は情報を記憶するための、１つ又は複数の装置及び／又はその他のデバイスの可読媒体を表す。「デバイスの可読媒体」という用語は、命令及び／又はデータを記憶、包含、及び／又はベアリングする各種の媒体を含むが、それらに限らない。
【００４７】
なお、本明細書における「システム」及び「ネットワーク」という用語は、本明細書においてしばしば交換可能に使用される。本明細書における「及び／又は」という用語は、関連オブジェクトの関連関係を説明するだけのものであり、３つの関係が存在し得ることを表し、例えば、Ａ及び／又はＢという場合、Ａが単独に存在すること、ＡとＢが同時に存在すること、Ｂが単独に存在することの３つの状況を表すことができる。また、本明細書における文字「／」は、一般的に前後の関連オブジェクトが「又は」の関係であることを表す。
【００４８】
図２は本願実施例によるデュアル登録の端末装置の無線通信方法２００の模式的なフローチャートである。図２に示すように、該方法２００は第１ネットワーク装置によって実行でき、該第１ネットワーク装置は図１に示すコアネットワーク装置又はアクセスネットワーク装置であってもよく、該端末装置は同時に第１ネットワーク及び第２ネットワークに登録し、該方法２００は以下の２１０を含む。
【００４９】
２１０では、第１ネットワーク装置は第２ネットワーク装置に指示情報を送信し、該指示情報は、該第１ネットワーク装置が該端末装置にダウンリンクメッセージを送信し、又は該端末装置からアップリンクメッセージを受信することを示すことに用いられ、該第１ネットワーク装置は該第１ネットワークでのネットワーク装置であり、該第２ネットワーク装置は該第２ネットワークでのネットワーク装置である。
【００５０】
選択肢として、端末装置は同時に第１ネットワーク及び第２ネットワークに登録し、そうすると、第１ネットワークでの第１ネットワーク装置は第２ネットワークでの第２ネットワーク装置と協議して、端末装置にダウンリンクメッセージを送信し又は端末装置から送信されたアップリンクメッセージを受信する時間を決定することができる。
【００５１】
選択肢として、該ダウンリンクメッセージはページングメッセージであり、該アップリンクメッセージはアップリンクデータ、ページング応答、位置更新情報のうちの少なくとも１つである。
【００５２】
選択肢として、該端末装置は、単一のネットワークにおいてアップリンク送信又はダウンリンク受信を行うことしかサポートしない。
【００５３】
例えば、該端末装置は単一受信／単一送信（１Ｒｘ／１Ｔｘ）しかサポートしない。
【００５４】
選択肢として、該第１ネットワークはＬＴＥネットワークであり、該第２ネットワークはＮＲネットワークであり、又は、該第１ネットワークはＮＲネットワークであり、該第２ネットワークはＬＴＥネットワークであり、又は、該第１ネットワークはＮＲネットワークであり、該第２ネットワークはＮＲネットワークであり、又は、該第１ネットワークはＬＴＥネットワークであり、該第２ネットワークはＬＴＥネットワークである。
【００５５】
選択肢として、該１ネットワーク装置はコアネットワーク装置であってもよく、アクセスネットワーク装置であってもよく、例えば、該第１ネットワークがＬＴＥネットワークである場合、該第１ネットワーク装置はＭＭＥであってもよく、ｅＮＢであってもよい。
【００５６】
選択肢として、該２ネットワーク装置はコアネットワーク装置であってもよく、アクセスネットワーク装置であってもよく、例えば、該第２ネットワークがＮＲネットワークである場合、該第２ネットワーク装置はＡＭＦであってもよく、ｇＮＢであってもよい。
【００５７】
選択肢として、該第１ネットワーク装置又は該第２ネットワーク装置は、間欠受信（ＤＲＸ、Ｄｉｓｃｏｎｔｉｎｕｏｕｓ  Ｒｅｃｅｐｔｉｏｎ）方式を採用して異なる期間を設定してもよく、それによって、端末はスムーズにアップリンクメッセージを送信し、又はダウンリンクメッセージを受信できる。
【００５８】
選択肢として、該端末装置はＤＲＸによって設定された異なる期間に基づいて、異なる期間において該第１ネットワーク装置、又は該第２ネットワーク装置から送信されたダウンリンクメッセージを受信し、又は第１ネットワーク装置又は第２ネットワーク装置にアップリンクメッセージを送信することができる。
【００５９】
選択肢として、該指示情報は、更に該第２ネットワーク装置が第１期間内において該端末装置をページングできることを示すことに用いられる。
【００６０】
選択肢として、該端末装置は、該端末装置の第２ネットワークにおいてメッセージを送受信する期間を設定するように主動的に該第１ネットワーク装置に要求することができる。
【００６１】
選択肢として、該第１期間の長さは、該第１ネットワーク装置が該端末装置にダウンリンクメッセージを送信し、又は該端末装置からアップリンクメッセージを受信する時間の長さ以上である。
【００６２】
選択肢として、該方法２００は更に、
該第１ネットワーク装置が該端末装置から送信された要求メッセージを受信し、該要求メッセージは、該第２ネットワークに対する第２期間を設定するように該第１ネットワーク装置に要求することに用いられ、該端末装置は、該第２期間内において該第２ネットワーク装置から送信されたダウンリンクメッセージを受信し、及び／又は該第２ネットワーク装置にアップリンクメッセージを送信し、又は、該第２ネットワーク装置は該第２期間内において該端末装置をページングするのを避けることを含む。
【００６３】
選択肢として、該第１ネットワーク装置は、該第２ネットワーク装置が該第２期間内において該端末装置をページングするのを避けるように設定した場合、該第２期間内において該第１ネットワーク装置と該端末装置との間にはアップリンク／ダウンリンクメッセージのインタラクションが存在する可能性がある。
【００６４】
選択肢として、該第１ネットワーク装置が、該端末装置が該第２期間内において該第２ネットワーク装置から送信されたダウンリンクメッセージを受信し、又は該第２ネットワーク装置にアップリンクメッセージを送信するように設定した場合、該第２期間内において該第１ネットワーク装置と該端末装置との間にはアップリンク／ダウンリンクメッセージのインタラクションが存在しない可能性がある。
【００６５】
選択肢として、該方法２００は更に、
該第１ネットワーク装置が該端末装置に設定情報を送信し、該設定情報は、第３期間内において該第２ネットワーク装置から送信されたダウンリンクメッセージを受信し、又は該第２ネットワーク装置にアップリンクメッセージを送信するように該端末装置に指示することに用いられ、又は、該設定情報は、第４期間終了後に該第２ネットワーク装置から送信されたダウンリンクメッセージを受信し、又は該第２ネットワーク装置にアップリンクメッセージを送信するように該端末装置に指示することに用いられることを含む。
【００６６】
選択肢として、該第３期間内において、該第２期間内において該第１ネットワーク装置と該端末装置との間にはアップリンク／ダウンリンクメッセージのインタラクションが存在しない。
【００６７】
選択肢として、該第４期間内において、該第２期間内において該第１ネットワーク装置と該端末装置との間にはアップリンク／ダウンリンクメッセージのインタラクションが存在する。
【００６８】
従って、本願実施例のデュアル登録の端末装置の無線通信方法において、第１ネットワーク装置が第２ネットワーク装置に指示情報を送信し、それによって、第１ネットワーク装置が端末装置にダウンリンクメッセージを送信し又は端末装置からアップリンクメッセージを受信する時に、第２ネットワーク装置は端末装置に対するスケジューリングを停止し、そうすると、端末装置はメッセージを合理的に送受信できる。
【００６９】
図３は本願実施例によるデュアル登録の端末装置の無線通信方法３００の模式的なフローチャートである。図３に示すように、該方法３００は第２ネットワーク装置によって実行でき、該第２ネットワーク装置は図１に示すコアネットワーク装置又はアクセスネットワーク装置であってもよく、該端末装置は同時に第１ネットワーク及び第２ネットワークに登録し、該方法３００は以下の３１０〜３２０を含む。
【００７０】
３１０では、第２ネットワーク装置は第１ネットワーク装置から送信された指示情報を受信し、該指示情報は、該第１ネットワーク装置が該端末装置にダウンリンクメッセージを送信し、又は該端末装置からアップリンクメッセージを受信することを示すことに用いられ、該第１ネットワーク装置は該第１ネットワークでのネットワーク装置であり、該第２ネットワーク装置は該第２ネットワークでのネットワーク装置である。
【００７１】
３２０では、該第２ネットワーク装置は該指示情報に基づいて第１期間を設定し、該第２ネットワーク装置は該第１期間内において該端末装置に対するスケジューリングを停止する。
【００７２】
選択肢として、該指示情報は、更に第２期間内において該端末装置をページングするように該第２ネットワーク装置に指示することに用いられ、
該第２ネットワーク装置が該指示情報に基づいて第１期間を設定することは、
該第２ネットワーク装置が該指示情報に基づいて該第１期間を設定し、該第２期間は該第１期間が終了した後のところに位置することを含む。
【００７３】
選択肢として、該方法は更に、
該第２ネットワーク装置が該端末装置に第１設定情報を送信し、該第１設定情報は、第３期間内において該第１ネットワーク装置から送信されたダウンリンクメッセージを受信し、又は該第１ネットワーク装置にアップリンクメッセージを送信するように該端末装置に指示することに用いられることを含む。
【００７４】
選択肢として、該方法は更に、
該第２ネットワーク装置が該端末装置に第２設定情報を送信し、該第２設定情報は、第４期間内において該第２ネットワーク装置から送信されたダウンリンクメッセージを受信し、又は該第２ネットワーク装置にアップリンクメッセージを送信するように該端末装置に指示することに用いられ、又は、該第２設定情報は、第５期間終了後に該第２ネットワーク装置から送信されたダウンリンクメッセージを受信し、又は該第２ネットワーク装置にアップリンクメッセージを送信するように該端末装置に指示することに用いられることを含む。
【００７５】
選択肢として、該ダウンリンクメッセージはページングメッセージであり、該アップリンクメッセージはアップリンクデータ、ページング応答、位置更新情報のうちの少なくとも１つである。
【００７６】
選択肢として、該端末装置は、単一のネットワークにおいてアップリンク送信又はダウンリンク受信を行うことしかサポートしない。
【００７７】
選択肢として、該第１ネットワークはロングタームエボリューション（ＬＴＥ）ネットワークであり、該第２ネットワークは新エアインタフェース（ＮＲ）ネットワークであり、又は、該第１ネットワークはＮＲネットワークであり、該第２ネットワークはＬＴＥネットワークであり、又は、該第１ネットワークはＮＲネットワークであり、該第２ネットワークはＮＲネットワークであり、又は、該第１ネットワークはＬＴＥネットワークであり、該第２ネットワークはＬＴＥネットワークである。
【００７８】
なお、デュアル登録の端末装置の無線通信方法３００におけるステップについては、デュアル登録の端末装置の無線通信方法２００における相応のステップの記載を参照でき、簡潔のために、ここで繰り返して説明しない。
【００７９】
従って、本願実施例のデュアル登録の端末装置の無線通信方法において、第２ネットワーク装置が第１ネットワーク装置から送信された指示情報を受信し、それによって、第１ネットワーク装置が端末装置にダウンリンクメッセージを送信し、又は端末装置からアップリンクメッセージを受信する時に、第２ネットワーク装置は端末装置に対するスケジューリングを停止し、そうすると、端末装置はメッセージを合理的に送受信できる。
【００８０】
図４は本願実施例によるデュアル登録の端末装置の無線通信方法４００の模式的なフローチャートである。図４に示すように、該方法４００は端末装置によって実行でき、該端末装置は図１に示す端末装置であってもよく、該端末装置は同時に第１ネットワーク及び第２ネットワークに登録し、該方法４００は以下の４１０〜４２０を含む。
【００８１】
４１０では、該端末装置は第１装置から送信された第１設定情報を受信し、該第１設定情報は、第１期間内において第１ネットワーク装置から送信されたダウンリンクメッセージを受信し、又は該第１ネットワーク装置にアップリンクメッセージを送信するように指示することに用いられ、該第１ネットワーク装置は該第１ネットワークでのネットワーク装置である。
【００８２】
４２０では、該端末装置は該第１設定情報に基づいて、該第１ネットワーク装置から送信されたダウンリンクメッセージを受信し又は該第１ネットワーク装置にアップリンクメッセージを送信する。
【００８３】
選択肢として、該方法は更に、
該端末装置が該第１装置から送信された第２設定情報を受信し、該第２設定情報は、第２期間内において該第２ネットワーク装置から送信されたダウンリンクメッセージを受信し、又は該第２ネットワーク装置にアップリンクメッセージを送信するように指示することに用いられ、又は、該第２設定情報は、第３期間終了後に該第２ネットワーク装置から送信されたダウンリンクメッセージを受信し、又は該第２ネットワーク装置にアップリンクメッセージを送信するように指示することに用いられることを含み、
該端末装置が該第１設定情報に基づいて、該第１ネットワーク装置から送信されたダウンリンクメッセージを受信し、又は該第１ネットワーク装置にアップリンクメッセージを送信することは、
該端末装置が該第１設定情報及び／又は該第２設定情報に基づいて、該第１ネットワーク装置から送信されたダウンリンクメッセージを受信し、又は該第１ネットワーク装置にアップリンクメッセージを送信し、又は、該第２ネットワーク装置から送信されたダウンリンクメッセージを受信し、又は該第２ネットワーク装置にアップリンクメッセージを送信することを含む。
【００８４】
選択肢として、該端末装置が該第１装置から送信された該第１設定情報を受信する前に、該方法は更に、
該端末装置が該第１装置に要求メッセージを送信し、該要求メッセージは、該第２ネットワークに対する第４期間を設定するように該第１装置に要求することに用いられ、該端末装置は、該第４期間内において該第２ネットワーク装置から送信されたダウンリンクメッセージを受信し、及び／又は該第２ネットワーク装置にアップリンクメッセージを送信し、又は、該第２ネットワーク装置は該第４期間内において該端末装置をページングするのを避けることを含む。
【００８５】
選択肢として、該端末装置が該第１装置から送信された該第１設定情報を受信する前に、該方法は更に、
該端末装置が該第１ネットワーク装置から送信されたダウンリンクメッセージを受信し、又は該第１ネットワーク装置にアップリンクメッセージを送信することを含む。
【００８６】
選択肢として、該ダウンリンクメッセージはページングメッセージであり、該アップリンクメッセージはアップリンクデータ、ページング応答、位置更新情報のうちの少なくとも１つである。
【００８７】
選択肢として、該第１装置は、該第１ネットワーク装置又は該第２ネットワーク装置である。
【００８８】
選択肢として、該端末装置は、単一のネットワークにおいてアップリンク送信又はダウンリンク受信を行うことしかサポートしない。
【００８９】
選択肢として、該第１ネットワークはロングタームエボリューション（ＬＴＥ）ネットワークであり、該第２ネットワークは新エアインタフェース（ＮＲ）ネットワークであり、又は、該第１ネットワークはＮＲネットワークであり、該第２ネットワークはＬＴＥネットワークであり、又は、該第１ネットワークはＮＲネットワークであり、該第２ネットワークはＮＲネットワークであり、又は、該第１ネットワークはＬＴＥネットワークであり、該第２ネットワークはＬＴＥネットワークである。
【００９０】
なお、デュアル登録の端末装置の無線通信方法４００におけるステップについては、デュアル登録の端末装置の無線通信方法２００における相応のステップの記載を参照でき、簡潔のために、ここで繰り返して説明しない。
【００９１】
従って、本願実施例のデュアル登録の端末装置の無線通信方法において、端末装置が第１装置から送信された設定情報を受信し、それによって、端末装置は設定情報に基づいてメッセージを合理的に送受信できる。
【００９２】
図５は本願実施例によるネットワーク装置５００の模式的なブロック図である。図５に示すように、該ネットワーク装置５００は端末装置と通信し、該端末装置は同時に第１ネットワーク及び第２ネットワークに登録し、該ネットワーク装置５００は、
第２ネットワーク装置に指示情報を送信することに用いられ、該指示情報は、該第１ネットワーク装置が該端末装置にダウンリンクメッセージを送信し、又は該端末装置からアップリンクメッセージを受信することを示すことに用いられ、該第１ネットワーク装置が該第１ネットワークでのネットワーク装置であり、該第２ネットワーク装置が該第２ネットワークでのネットワーク装置である送信ユニット５１０を備える。
【００９３】
選択肢として、該指示情報は、更に該第２ネットワーク装置が第１期間内において該端末装置をページングできることを示すことに用いられる。
【００９４】
選択肢として、該送信ユニット５１０は更に該端末装置から送信された要求メッセージを受信することに用いられ、該要求メッセージは、該第２ネットワークに対する第２期間を設定するように該第１ネットワーク装置に要求することに用いられ、該端末装置は、該第２期間内において該第２ネットワーク装置から送信されたダウンリンクメッセージを受信し、及び／又は該第２ネットワーク装置にアップリンクメッセージを送信し、又は、該第２ネットワーク装置は該第２期間内において該端末装置をページングするのを避ける。
【００９５】
選択肢として、該送信ユニット５１０は更に該端末装置に設定情報を送信することに用いられ、該設定情報は、第３期間内において該第２ネットワーク装置から送信されたダウンリンクメッセージを受信し、又は該第２ネットワーク装置にアップリンクメッセージを送信するように該端末装置に指示することに用いられ、又は、該設定情報は、第４期間終了後に該第２ネットワーク装置から送信されたダウンリンクメッセージを受信し、又は該第２ネットワーク装置にアップリンクメッセージを送信するように該端末装置に指示することに用いられる。
【００９６】
選択肢として、該ダウンリンクメッセージはページングメッセージであり、該アップリンクメッセージはアップリンクデータ、ページング応答、位置更新情報のうちの少なくとも１つである。
【００９７】
選択肢として、該端末装置は、単一のネットワークにおいてアップリンク送信又はダウンリンク受信を行うことしかサポートしない。
【００９８】
選択肢として、該第１ネットワークはロングタームエボリューション（ＬＴＥ）ネットワークであり、該第２ネットワークは新エアインタフェース（ＮＲ）ネットワークであり、又は、該第１ネットワークはＮＲネットワークであり、該第２ネットワークはＬＴＥネットワークであり、又は、該第１ネットワークはＮＲネットワークであり、該第２ネットワークはＮＲネットワークであり、又は、該第１ネットワークはＬＴＥネットワークであり、該第２ネットワークはＬＴＥネットワークである。
【００９９】
なお、本願実施例によるネットワーク装置５００における各モジュールの上記及びその他の操作及び／又は機能は、それぞれ図２における方法２００における第１ネットワーク装置の相応のフローを実現するためのものであり、簡潔のために、ここで繰り返して説明しない。
【０１００】
図６は本願実施例によるネットワーク装置６００の模式的なブロック図である。図６に示すように、該ネットワーク装置６００は端末装置と通信し、該端末装置は同時に第１ネットワーク及び第２ネットワークに登録し、該ネットワーク装置６００は、
第１ネットワーク装置から送信された指示情報を受信することに用いられ、該指示情報は、該第１ネットワーク装置が該端末装置にダウンリンクメッセージを送信し、又は該端末装置からアップリンクメッセージを受信することを示すことに用いられ、該第１ネットワーク装置が該第１ネットワークでのネットワーク装置であり、該第２ネットワーク装置が該第２ネットワークでのネットワーク装置である受信ユニット６１０と、
該指示情報に基づいて第１期間を設定することに用いられ、該第２ネットワーク装置は該第１期間内において該端末装置に対するスケジューリングを停止する処理ユニット６２０と、を備える。
【０１０１】
選択肢として、該指示情報は、更に第２期間内において該端末装置をページングするように該第２ネットワーク装置に指示することに用いられ、
該処理ユニット６２０は具体的に、
該指示情報に基づいて該第１期間を設定することに用いられ、該第２期間は該第１期間が終了した後のところに位置する。
【０１０２】
選択肢として、該ネットワーク装置６００は更に、
該端末装置に第１設定情報を送信することに用いられ、該第１設定情報は、第３期間内において該第１ネットワーク装置から送信されたダウンリンクメッセージを受信し、又は該第１ネットワーク装置にアップリンクメッセージを送信するように該端末装置に指示することに用いられる送信ユニット６３０を備える。
【０１０３】
選択肢として、該送信ユニット６３０は更に該端末装置に第２設定情報を送信することに用いられ、該第２設定情報は、第４期間内において該第２ネットワーク装置から送信されたダウンリンクメッセージを受信し、又は該第２ネットワーク装置にアップリンクメッセージを送信するように該端末装置に指示することに用いられ、又は、該第２設定情報は、第５期間終了後に該第２ネットワーク装置から送信されたダウンリンクメッセージを受信し、又は該第２ネットワーク装置にアップリンクメッセージを送信するように該端末装置に指示することに用いられる。
【０１０４】
選択肢として、該ダウンリンクメッセージはページングメッセージであり、該アップリンクメッセージはアップリンクデータ、ページング応答、位置更新情報のうちの少なくとも１つである。
【０１０５】
選択肢として、該端末装置は、単一のネットワークにおいてアップリンク送信又はダウンリンク受信を行うことしかサポートしない。
【０１０６】
選択肢として、該第１ネットワークはロングタームエボリューション（ＬＴＥ）ネットワークであり、該第２ネットワークは新エアインタフェース（ＮＲ）ネットワークであり、又は、該第１ネットワークはＮＲネットワークであり、該第２ネットワークはＬＴＥネットワークであり、又は、該第１ネットワークはＮＲネットワークであり、該第２ネットワークはＮＲネットワークであり、又は、該第１ネットワークはＬＴＥネットワークであり、該第２ネットワークはＬＴＥネットワークである。
【０１０７】
なお、本願実施例によるネットワーク装置６００における各モジュールの上記及びその他の操作及び／又は機能は、それぞれ図３における方法３００における第２ネットワーク装置の相応のフローを実現するためのものであり、簡潔のために、ここで繰り返して説明しない。
【０１０８】
図７は本願実施例による端末装置７００の模式的なブロック図である。図７に示すように、該端末装置７００は同時に第１ネットワーク及び第２ネットワークに登録し、該端末装置７００は、
第１装置から送信された第１設定情報を受信することに用いられ、該第１設定情報は、第１期間内において第１ネットワーク装置から送信されたダウンリンクメッセージを受信し、又は該第１ネットワーク装置にアップリンクメッセージを送信するように指示することに用いられ、該第１ネットワーク装置が該第１ネットワークでのネットワーク装置である受信ユニット７１０を備え、
該受信ユニット７１０は更に該第１設定情報に基づいて、該第１ネットワーク装置から送信されたダウンリンクメッセージを受信し、又は該第１ネットワーク装置にアップリンクメッセージを送信することに用いられる。
【０１０９】
選択肢として、該受信ユニット７１０は更に該第１装置から送信された第２設定情報を受信することに用いられ、該第２設定情報は、第２期間内において該第２ネットワーク装置から送信されたダウンリンクメッセージを受信し、又は該第２ネットワーク装置にアップリンクメッセージを送信するように指示することに用いられ、又は、該第２設定情報は、第３期間終了後に該第２ネットワーク装置から送信されたダウンリンクメッセージを受信し、又は該第２ネットワーク装置にアップリンクメッセージを送信するように指示することに用いられ、
該受信ユニット７１０は具体的に、
該第１設定情報及び／又は該第２設定情報に基づいて、該第１ネットワーク装置から送信されたダウンリンクメッセージを受信し、又は該第１ネットワーク装置にアップリンクメッセージを送信し、又は、該第２ネットワーク装置から送信されたダウンリンクメッセージを受信し、又は該第２ネットワーク装置にアップリンクメッセージを送信することに用いられる。
【０１１０】
選択肢として、該受信ユニット７１０が該第１装置から送信された該第１設定情報を受信する前に、該端末装置７００は更に、
該第１装置に要求メッセージを送信することに用いられ、該要求メッセージは、該第２ネットワークに対する第４期間を設定するように該第１装置に要求することに用いられ、該端末装置は、該第４期間内において該第２ネットワーク装置から送信されたダウンリンクメッセージを受信し、及び／又は該第２ネットワーク装置にアップリンクメッセージを送信し、又は、該第２ネットワーク装置は該第４期間内において該端末装置をページングするのを避ける送信ユニット７２０を備える。
【０１１１】
選択肢として、該受信ユニット７１０が該第１装置から送信された該第１設定情報を受信する前に、該受信ユニット７１０は更に該第１ネットワーク装置から送信されたダウンリンクメッセージを受信し、又は該第１ネットワーク装置にアップリンクメッセージを送信することに用いられる。
【０１１２】
選択肢として、該ダウンリンクメッセージはページングメッセージであり、該アップリンクメッセージはアップリンクデータ、ページング応答、位置更新情報のうちの少なくとも１つである。
【０１１３】
選択肢として、該第１装置は、該第１ネットワーク装置又は該第２ネットワーク装置である。
【０１１４】
選択肢として、該端末装置７００は、単一のネットワークにおいてアップリンク送信又はダウンリンク受信を行うことしかサポートしない。
【０１１５】
選択肢として、該第１ネットワークはロングタームエボリューション（ＬＴＥ）ネットワークであり、該第２ネットワークは新エアインタフェース（ＮＲ）ネットワークであり、又は、該第１ネットワークはＮＲネットワークであり、該第２ネットワークはＬＴＥネットワークであり、又は、該第１ネットワークはＮＲネットワークであり、該第２ネットワークはＮＲネットワークであり、又は、該第１ネットワークはＬＴＥネットワークであり、該第２ネットワークはＬＴＥネットワークである。
【０１１６】
なお、本願実施例による端末装置７００における各モジュールの上記及びその他の操作及び／又は機能は、それぞれ図４における方法４００における端末装置の相応のフローを実現するためのものであり、簡潔のために、ここで繰り返して説明しない。
【０１１７】
図８は本願実施例による無線通信の装置８００の模式的なブロック図を示し、該装置８００は、
コードを含むプログラムを記憶することに用いられるメモリ８１０と、
他の装置と通信を行うことに用いられる送受信機８２０と、
メモリ８１０におけるプログラムコードを実行することに用いられるプロセッサ８３０と、を備える。
【０１１８】
選択肢として、送受信機８２０はプロセッサ８３０の駆動で具体的な信号送受信を実行することに用いられる。
【０１１９】
選択肢として、該コードが実行される時、該プロセッサ８３０は図２における方法２００における第１ネットワーク装置、又は、図３における方法３００における第２ネットワーク装置の実行する各操作を実現でき、簡潔のために、ここで繰り返して説明しない。この時、該装置８００はアクセスネットワーク装置（例えば、ｇＮＢ）であってもよく、又はコアネットワーク装置（例えば、ＡＭＦ）であってもよい。
【０１２０】
選択肢として、該コードが実行される時、該プロセッサ８３０は図４における方法４００における端末装置の実行する各操作を実現でき、簡潔のために、ここで繰り返して説明しない。この時、該装置８００は端末装置（例えば、携帯電話）であってもよい。
【０１２１】
なお、本願実施例において、該プロセッサ８３０は中央処理装置（ＣＰＵ、Ｃｅｎｔｒａｌ  Ｐｒｏｃｅｓｓｉｎｇ  Ｕｎｉｔ）であってもよく、該プロセッサ８３０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブル論理デバイス、個別ゲート又はトランジスタ論理デバイス、個別ハードウェア構成要素等であってもよい。汎用プロセッサはマイクロプロセッサであってもよく、又は該プロセッサは如何なる通常のプロセッサ等であってもよい。
【０１２２】
該メモリ８１０は読み取り専用メモリ及びランダムアクセスメモリを含んでもよく、そしてプロセッサ８３０に命令及びデータを提供してもよい。メモリ８１０の一部には更に不揮発性ランダムアクセスメモリが含まれてもよい。例えば、メモリ８１０は更に装置タイプの情報を記憶してもよい。
【０１２３】
送受信機８２０は、信号の送受信機能、例えば、周波数変調及び復調機能、又はアップコンバートとダウンコンバートと呼ばれる機能を実現するためのものであってもよい。
【０１２４】
実現過程において、上記方法の少なくとも１つのステップはプロセッサ８３０におけるハードウェアの集積論理回路で遂行でき、又は該集積論理回路はソフトウェア形式の命令の駆動で該少なくとも１つのステップを遂行できる。従って、無線通信の装置８００はチップ又はチップセットであってもよい。本願の実施例に開示される方法のステップはハードウェアプロセッサで遂行し、又はプロセッサにおけるハードウェア及びソフトウェアモジュールの組み合わせで遂行するように直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサ８３０はメモリにおける情報を読み取り、ハードウェアと組み合わせて上記方法のステップを遂行する。重複を避けるために、ここでは詳しく説明しない。
【０１２５】
図９は本願実施例によるシステムチップ９００の構造模式図である。図９のシステムチップ９００は入力インタフェース９０１、出力インタフェース９０２、プロセッサ９０３及びメモリ９０４を備え、入力インタフェース９０１、出力インタフェース９０２、プロセッサ９０３及びメモリ９０４の間には内部接続回路で接続され、該プロセッサ９０３は該メモリ９０４におけるコードを実行することに用いられる。
【０１２６】
選択肢として、該コードが実行される時、該プロセッサ９０３は方法実施例における、端末装置によって実行される方法を実現する。簡潔のために、ここで繰り返して説明しない。
【０１２７】
選択肢として、該コードが実行される時、該プロセッサ９０３は方法実施例における、第１ネットワーク装置又は第２ネットワーク装置によって実行される方法を実現する。簡潔のために、ここで繰り返して説明しない。
【０１２８】
上記実施例は、全体又は部分的にソフトウェア、ハードウェア、ファームウェア、又はそれらの任意の組み合わせで実現されてもよい。ソフトウェアで実現される時に全体又は部分的にコンピュータプログラム製品の形式で実現されてもよい。該コンピュータプログラム製品は１つ又は複数のコンピュータ命令を含む。該コンピュータプログラム命令がコンピュータにロードされて実行される時、本願実施例に記載のフロー又は機能が全体又は部分的に発生する。該コンピュータは汎用コンピュータ、専用コンピュータ、コンピュータネットワーク、又はその他のプログラム可能装置であってもよい。該コンピュータ命令はコンピュータ読み取り可能な記憶媒体に記憶され、又は１つのコンピュータ読み取り可能な記憶媒体から他のコンピュータ読み取り可能な記憶媒体に伝送されてもよく、例えば、該コンピュータ命令は、１つのウェブサイト、コンピュータ、サーバ、又はデータセンターから有線（例えば、同軸ケーブル、光ファイバ、デジタル加入者回線（ＤＳＬ））又は無線（例えば赤外線、無線、マイクロ波等）方式を介して他のウェブサイト、コンピュータ、サーバ、又はデータセンターに伝送されてもよい。該コンピュータ読み取り可能な記憶媒体はコンピュータのアクセスできる任意の利用可能な媒体、又は１つ又は複数の利用可能な媒体を統合したサーバ、データセンター等のデータ記憶装置であってもよい。該利用可能な媒体は磁気媒体（例えば、フロッピーディスク、ハードディスク、磁気テープ）、光媒体（例えば、ＤＶＤ）、又は半導体媒体（例えば、ソリッドステートディスク（ＳＳＤ、Ｓｏｌｉｄ  Ｓｔａｔｅ  Ｄｉｓｋ））等であってもよい。
【０１２９】
なお、本願の様々な実施例において、上記各プロセスの番号は実行順序の後先を意味するものではなく、各プロセスの実行順序はその機能と内的論理によって決定されるべきであり、本願実施例の実施プロセスに対して何らの限定となるべきではない。
【０１３０】
当業者であれば明確に理解できるように、説明を容易で簡単にするために、上記説明されたシステム、装置及びユニットの具体的な動作過程については、前述の方法実施例における対応過程を参照でき、ここで繰り返して説明しない。
【０１３１】
以上の説明は本願の具体的な実施形態に過ぎず、本願の保護範囲を制限するためのものではなく、当業者が本願に開示される技術的範囲内において容易に想到し得る変更や置換は、いずれも本願の保護範囲内に含まれるべきである。従って、本願の保護範囲は該特許請求の範囲に記載の保護範囲に準じるべきである。
【図１】
2021512514.tif 000003
【図２】
2021512514.tif 000004
【図３】
2021512514.tif 000005
【図４】
2021512514.tif 000006
【図５】
2021512514.tif 000007
【図６】
2021512514.tif 000008
【図７】
2021512514.tif 000009
【図８】
2021512514.tif 000010
【図９】
2021512514.tif 000011
【手続補正書】
【提出日】令和2年11月11日(2020.11.11)
【手続補正１】
【補正対象書類名】明細書
【補正対象項目名】００３９
【補正方法】変更
【補正の内容】
【００３９】
本願実施例の技術案は、各種の通信システム、例えば、ロングタームエボリューション（ＬＴＥ、Ｌｏｎｇ  Ｔｅｒｍ  Ｅｖｏｌｕｔｉｏｎ）システム、ＬＴＥ周波数分割二重接続（ＦＤＤ、Ｆｒｅｑｕｅｎｃｙ  Ｄｉｖｉｓｉｏｎ  Ｄｕｐｌｅｘ）システム、ＬＴＥ時分割二重（ＴＤＤ、Ｔｉｍｅ  Ｄｉｖｉｓｉｏｎ  Ｄｕｐｌｅｘ）システム、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、又は５Ｇ  ＮＲ通信システム等に適用できる。
【手続補正２】
【補正対象書類名】明細書
【補正対象項目名】００５５
【補正方法】変更
【補正の内容】
【００５５】
選択肢として、該第１ネットワーク装置はコアネットワーク装置であってもよく、アクセスネットワーク装置であってもよく、例えば、該第１ネットワークがＬＴＥネットワークである場合、該第１ネットワーク装置はＭＭＥであってもよく、ｅＮＢであってもよい。
【手続補正３】
【補正対象書類名】明細書
【補正対象項目名】００５６
【補正方法】変更
【補正の内容】
【００５６】
選択肢として、該第２ネットワーク装置はコアネットワーク装置であってもよく、アクセスネットワーク装置であってもよく、例えば、該第２ネットワークがＮＲネットワークである場合、該第２ネットワーク装置はＡＭＦであってもよく、ｇＮＢであってもよい。
【手続補正４】
【補正対象書類名】特許請求の範囲
【補正対象項目名】全文
【補正方法】変更
【補正の内容】
【特許請求の範囲】
【請求項１】
デュアル登録の端末装置の無線通信方法であって、前記端末装置は同時に第１ネットワーク及び第２ネットワークに登録し、
前記方法は、
前記端末装置が第１装置から送信された第１設定情報を受信し、前記第１設定情報は、第１期間内において第１ネットワーク装置から送信されたダウンリンクメッセージを受信し、又は前記第１ネットワーク装置にアップリンクメッセージを送信するように指示することに用いられ、前記第１ネットワーク装置が前記第１ネットワークでのネットワーク装置であることと、
前記端末装置が前記第１設定情報に基づいて、前記第１ネットワーク装置から送信されたダウンリンクメッセージを受信し、又は前記第１ネットワーク装置にアップリンクメッセージを送信することと、を含むことを特徴とするデュアル登録の端末装置の無線通信方法。
【請求項２】
前記方法は更に、
前記端末装置が前記第１装置から送信された第２設定情報を受信し、前記第２設定情報は、第２期間内において第２ネットワーク装置から送信されたダウンリンクメッセージを受信し、又は前記第２ネットワーク装置にアップリンクメッセージを送信するように指示することに用いられ、又は、前記第２設定情報は、第３期間終了後に前記第２ネットワーク装置から送信されたダウンリンクメッセージを受信し、又は前記第２ネットワーク装置にアップリンクメッセージを送信するように指示することに用いられることを含み、
前記端末装置が前記第１設定情報に基づいて、前記第１ネットワーク装置から送信されたダウンリンクメッセージを受信し、又は前記第１ネットワーク装置にアップリンクメッセージを送信することは、
前記端末装置が前記第１設定情報及び／又は前記第２設定情報に基づいて、前記第１ネットワーク装置から送信されたダウンリンクメッセージを受信し、又は前記第１ネットワーク装置にアップリンクメッセージを送信し、又は、前記第２ネットワーク装置から送信されたダウンリンクメッセージを受信し、又は前記第２ネットワーク装置にアップリンクメッセージを送信することを含むことを特徴とする請求項１に記載の方法。
【請求項３】
前記端末装置が前記第１装置から送信された前記第１設定情報を受信する前に、前記方法は更に、
前記端末装置が前記第１装置に要求メッセージを送信し、前記要求メッセージは、前記第２ネットワークに対する第４期間を設定するように前記第１装置に要求することに用いられ、前記端末装置は、前記第４期間内において第２ネットワーク装置から送信されたダウンリンクメッセージを受信し、及び／又は前記第２ネットワーク装置にアップリンクメッセージを送信し、又は、前記第２ネットワーク装置は前記第４期間内において前記端末装置をページングするのを避けることを含むことを特徴とする請求項１又は２に記載の方法。
【請求項４】
前記端末装置は、単一のネットワークにおいてアップリンク送信又はダウンリンク受信を行うことしかサポートしないことを特徴とする請求項１〜３のいずれか１項に記載の方法。
【請求項５】
ネットワーク装置であって、前記ネットワーク装置は端末装置と通信し、前記端末装置は同時に第１ネットワーク及び第２ネットワークに登録し、
前記ネットワーク装置は、
第２ネットワーク装置に指示情報を送信することに用いられ、前記指示情報は、第１ネットワーク装置が前記端末装置にダウンリンクメッセージを送信し、又は前記端末装置からアップリンクメッセージを受信することを示すことに用いられ、前記第１ネットワーク装置が前記第１ネットワークでのネットワーク装置であり、前記第２ネットワーク装置が前記第２ネットワークでのネットワーク装置である送信ユニットを備えることを特徴とするネットワーク装置。
【請求項６】
前記指示情報は、更に前記第２ネットワーク装置が第１期間内において前記端末装置をページングできることを示すことに用いられることを特徴とする請求項５に記載のネットワーク装置。
【請求項７】
前記送信ユニットは更に前記端末装置から送信された要求メッセージを受信することに用いられ、前記要求メッセージは前記第２ネットワークに対する第２期間を設定するように前記第１ネットワーク装置に要求することに用いられ、前記端末装置は、前記第２期間内において前記第２ネットワーク装置から送信されたダウンリンクメッセージを受信し、及び／又は前記第２ネットワーク装置にアップリンクメッセージを送信し、又は、前記第２ネットワーク装置は前記第２期間内において前記端末装置をページングするのを避けることを特徴とする請求項５又は６に記載のネットワーク装置。
【請求項８】
前記送信ユニットは更に前記端末装置に設定情報を送信することに用いられ、前記設定情報は、第３期間内において前記第２ネットワーク装置から送信されたダウンリンクメッセージを受信し、又は前記第２ネットワーク装置にアップリンクメッセージを送信するように前記端末装置に指示することに用いられ、又は、前記設定情報は、第４期間終了後に前記第２ネットワーク装置から送信されたダウンリンクメッセージを受信し、又は前記第２ネットワーク装置にアップリンクメッセージを送信するように前記端末装置に指示することに用いられることを特徴とする請求項５〜７のいずれか１項に記載のネットワーク装置。
【請求項９】
前記ダウンリンクメッセージはページングメッセージであり、前記アップリンクメッセージはアップリンクデータ、ページング応答、位置更新情報のうちの少なくとも１つであることを特徴とする請求項５〜８のいずれか１項に記載のネットワーク装置。
【請求項１０】
前記端末装置は、単一のネットワークにおいてアップリンク送信又はダウンリンク受信を行うことしかサポートしないことを特徴とする請求項５〜９のいずれか１項に記載のネットワーク装置。
【請求項１１】
端末装置であって、前記端末装置は同時に第１ネットワーク及び第２ネットワークに登録し、
前記端末装置は、
第１装置から送信された第１設定情報を受信することに用いられ、前記第１設定情報は、第１期間内において第１ネットワーク装置から送信されたダウンリンクメッセージを受信し、又は前記第１ネットワーク装置にアップリンクメッセージを送信するように指示することに用いられ、前記第１ネットワーク装置が前記第１ネットワークでのネットワーク装置である受信ユニットを備え、
前記受信ユニットは、更に前記第１設定情報に基づいて、前記第１ネットワーク装置から送信されたダウンリンクメッセージを受信し、又は前記第１ネットワーク装置にアップリンクメッセージを送信することに用いられることを特徴とする端末装置。
【請求項１２】
前記受信ユニットが前記第１装置から送信された前記第１設定情報を受信する前に、前記受信ユニットは、更に前記第１ネットワーク装置から送信されたダウンリンクメッセージを受信し、又は前記第１ネットワーク装置にアップリンクメッセージを送信することに用いられることを特徴とする請求項１１に記載の端末装置。
【請求項１３】
前記ダウンリンクメッセージはページングメッセージであり、前記アップリンクメッセージはアップリンクデータ、ページング応答、位置更新情報のうちの少なくとも１つであることを特徴とする請求項１１又は１２に記載の端末装置。
【請求項１４】
前記第１装置は、前記第１ネットワーク装置又は第２ネットワーク装置であることを特徴とする請求項１１〜１３のいずれか１項に記載の端末装置。
【請求項１５】
前記第１ネットワークはロングタームエボリューション（ＬＴＥ）ネットワークであり、前記第２ネットワークは新エアインタフェース（ＮＲ）ネットワークであり、又は、前記第１ネットワークはＮＲネットワークであり、前記第２ネットワークはＬＴＥネットワークであり、又は、前記第１ネットワークはＮＲネットワークであり、前記第２ネットワークはＮＲネットワークであり、又は、前記第１ネットワークはＬＴＥネットワークであり、前記第２ネットワークはＬＴＥネットワークであることを特徴とする請求項１１〜１４のいずれか１項に記載の端末装置。
【国際調査報告】
2021512514.tif 000012
2021512514.tif 000013
2021512514.tif 000014
2021512514.tif 000015